(57)【要約】【課題】照明器具に設ける点灯装置の配置に関する自由度を高める。【解決手段】点灯装置１は、照明器具の器具本体２において施工時に上下方向に配置される取付板２１にランプ６とともに取り付けられ、ランプ６を点灯させる。点灯装置１の外郭体１０の一部には先端面を取付板２１に当接させる脚部１１ａ、１１ｂが突設され、脚部１１ａ、１１ｂは外郭体１０と取付板２１との対向面間に隙間Ａを形成する。すなわち、照明器具内に水が浸入したとしても、水は隙間Ａを通って器具本体２における点灯装置１が取り付けられた部位を通過することができるので、点灯装置１への浸水を防止でき、点灯装置１の配置に関する自由度が高くなる。【選択図】図１
2005050665.tif 000002
【特許請求の範囲】
【請求項１】
ランプとともに照明器具の器具本体に取り付けられ、ランプを点灯させる点灯装置であって、器具本体において施工時に上下方向に配置される取付板に取り付けられ、外郭体の一部に突設されるとともに先端面が取付板に当接する脚部を有し、脚部は外郭体と取付板との対向面間に照明器具内に浸入した水が通る隙間を形成することを特徴とする点灯装置。
【請求項２】
前記外郭体は合成樹脂製であって、前記脚部は外郭体における前記器具本体の前記取付板との対向面の一部に突設されるとともに水が器具本体の取付板上を通る向きに対して水勾配が付与されることを特徴とする請求項１記載の点灯装置。
【請求項３】
前記脚部は、前記取付板上での水の通り道となる部位を避けて突設されることを特徴とする請求項１または請求項２記載の点灯装置。
【請求項４】
外部回路を接続可能であって接続時に前記脚部に対して外力が作用する端子と、動作の設定操作が可能であって操作時において脚部に対して作用する外力が端子への外部回路の接続時よりも小さい操作部とを備え、前記脚部は複数個設けられ、端子より操作部に近い部位に突設される脚部は前記取付板との対向面に沿う断面積が操作部より端子に近い部位に突設される脚部の断面積よりも小さいことを特徴とする請求項１ないし請求項３のいずれか１項に記載の点灯装置。
【請求項５】
前記脚部は、前記外郭体における前記取付板との対向面において中央部を囲む４箇所に夫々設けられることを特徴とする請求項１ないし請求項４のいずれか１項に記載の点灯装置。
【請求項６】
請求項１ないし請求項５のいずれか１項に記載の点灯装置を用いた照明器具であって、前記器具本体の前記取付板に電源線を挿入する挿入孔が貫設され、器具本体との間に前記点灯装置と前記ランプとを収納するグローブを備え、点灯装置は挿入孔の下方に配置されることを特徴とする照明器具。
【発明の詳細な説明】
【技術分野】
【０００１】
本発明は、点灯装置および点灯装置を用いた照明器具に関するものである。
【背景技術】
【０００２】
従来から、造営物の外壁等の施工面に取り付けられる照明器具が提供されている。この種の照明器具は、風雨に晒されるものであるから、内部に水が浸入し難い構造が要求される。照明器具は、例えば、図４に示すように、矩形板状の器具本体２と、一面開口の箱状であって器具本体２が開口部に配置された状態で器具本体２と結合されるグローブ３とを備える。なお、図示する器具本体２は防水用パッキン４を介して施工面に取り付けられ、器具本体２とグローブ３とは図４においてグローブ３の上下に示す取付ねじ５によって結合される。
【０００３】
ところで、照明器具の内部には、ランプ６を保持するソケット７と、箱状の外郭体を有しランプ６を点灯させる点灯装置１とが収納され、ソケット７と点灯装置１とは器具本体２に取り付けられている。さらに、点灯装置１に電源を供給するために、器具本体２の略中央部には外部から導入される電源線８を挿入する挿入孔２４が貫設される。このような構成であるから、照明器具の外部から水滴（図示せず）が電源線８に沿って照明器具の内部に浸入する可能性があり、照明器具内の充電部、とくに点灯装置１への浸水を防止する必要がある。
【０００４】
そこで、照明器具を施工面に取り付けたときに挿入孔２４よりも上方に配置を制限して点灯装置１を照明器具の内部に収納することが考えられている。この構成では、照明器具の内部に水滴が浸入したとしても点灯装置１への浸水を防止できるので、点灯装置１に防水構造を施す必要はない（例えば、特許文献１参照）。
【特許文献１】特開平８−２７３４０６号公報（第３−４頁、図１）
【発明の開示】
【発明が解決しようとする課題】
【０００５】
しかし、上述した照明器具は、点灯装置１の配置が制限されており、その制限により全体の形状が制限されてしまったり全体の大きさが大きくなってしまったりする可能性がある。
【０００６】
本発明は、上記事由に鑑みて為されたものであって、従来構成よりも配置に関する自由度の高い点灯装置および点灯装置を用いた照明器具を提供することを目的とする。
【課題を解決するための手段】
【０００７】
請求項１の発明は、ランプとともに照明器具の器具本体に取り付けられ、ランプを点灯させる点灯装置であって、器具本体において施工時に上下方向に配置される取付板に取り付けられ、外郭体の一部に突設されるとともに先端面が取付板に当接する脚部を有し、脚部が外郭体と取付板との対向面間に照明器具内に浸入した水が通る隙間を形成することを特徴とする。
【０００８】
この構成によれば、照明器具内に水が浸入したとしても、水は外郭体と器具本体の取付板との対向面間に脚部によって形成された隙間を通って取付板における点灯装置が取り付けられた部位を通過するので、点灯装置への浸水を防止できる。その結果、点灯装置は、特に防水構造を施す必要がなく、器具本体の取付板に対して挿入孔より上方に配置を制限される従来構成に比べて配置に関する自由度が高い。
【０００９】
また、請求項２の発明では、請求項１の発明において、前記外郭体は合成樹脂製であって、前記脚部は外郭体における前記器具本体の前記取付板との対向面の一部に突設されるとともに水が器具本体の取付板上を通る向きに対して水勾配が付与されることを特徴とする。
【００１０】
この構成によれば、水が脚部上を通ったとしても、水は下方に移動し脚部から離れるので、脚部上に水が残ることを防止できる。
【００１１】
また、請求項３の発明は、請求項１または請求項２の発明において、前記脚部が、前記取付板上での水の通り道となる部位を避けて突設されることを特徴とする。
【００１２】
この発明によれば、水が照明器具内に浸入した場合にも、脚部を含め点灯装置に水が掛かり難くなる。
【００１３】
また、請求項４の発明は、請求項１ないし請求項３のいずれかの発明において、外部回路を接続可能であって接続時に前記脚部に対して外力が作用する端子と、動作の設定操作が可能であって操作時において脚部に対して作用する外力が端子への外部回路の接続時よりも小さい操作部とを備え、前記脚部が複数個設けられ、端子より操作部に近い部位に突設される脚部は前記取付板との対向面に沿う断面積が操作部より端子に近い部位に突設される脚部の断面積よりも小さいことを特徴とする。
【００１４】
この構成によれば、点灯装置に作用する外力を複数個の脚部に分散でき、さらに、各脚部の断面積を各脚部に作用する外力に耐え得る大きさに夫々形成するものであって、各脚部は必要以上に大きくないので、脚部の材料の無駄が低減される。
【００１５】
また、請求項５の発明は、請求項１ないし請求項４のいずれかの発明において、前記脚部が、前記外郭体における前記取付板との対向面において中央部を囲む４箇所に夫々設けられることを特徴とする。
【００１６】
この構成によれば、点灯装置を器具本体上に一方に傾くことなく安定して取り付けることができる。
【００１７】
また、請求項６の発明は、請求項１ないし請求項５のいずれかの点灯装置を用いた照明器具であって、前記器具本体の前記取付板に電源線を挿入する挿入孔が貫設され、器具本体との間に前記点灯装置と前記ランプとを収納するグローブを備え、点灯装置が挿入孔の下方に配置されることを特徴とする。
【００１８】
この構成によれば、点灯装置の配置に関する自由度が従来構成に比べて高いので、点灯装置の配置の制限により照明器具の形状が制限されてしまったり照明器具の大きさが大きくなってしまったりすることを防止できる。
【発明の効果】
【００１９】
本発明では、点灯装置を造営物の外壁等の施工面に取り付けられる照明器具に用いた場合に、照明器具内に水が浸入したとしても、水は外郭体と器具本体の取付板との対向面間に脚部によって形成された隙間を通って取付板における点灯装置が取り付けられた部位を通過するので、点灯装置への浸水を防止できる。その結果、点灯装置は、特に防水構造を施す必要がなく、器具本体の取付板に対して挿入孔より上方に配置を制限される従来構成に比べて配置に関する自由度が高い。
【発明を実施するための最良の形態】
【００２０】
本実施形態では、図１（ａ）に示すように、点灯装置１を、造営物の外壁等の施工面に取り付けられる照明器具に用いる例を示す。この照明器具は、施工面に取り付けられる器具本体２と、器具本体２との間にランプ６を保持するソケット７を収納する空間を形成するグローブ３（図４参照）とを結合することにより構成される。器具本体２は施工面に取り付けられる矩形状の取付板２１の外周縁の全周にわたって施工面から離れる向きに周壁２２が突設された形状に形成され、点灯装置１が取付板２１に片持ち型のランプ６を保持するソケット７とともに取り付けられランプ６を点灯させる。グローブ３は、上下方向に対向する周壁２２の左右中央部に設けた各取付ねじ台２３に取付ねじ５（図４参照）を夫々螺合することによって器具本体２に水密的に結合される。取付板２１の略中央部には外部から導入される電源線８を挿入する挿入孔２４が貫設され、照明器具内に導入された電源線８およびソケット７に接続されるランプ線を接続する端子台９が取付板２１に取り付けられる。なお、器具本体２は、取付板２１における左右中央部に上下に２個並設された取付孔２５を用いて施工面に防水取り付けされる。
【００２１】
ところで、照明器具は従来構成と同様に挿入孔２４から電源線８を内部に導入する構成であるから、照明器具の外部から水滴（図示せず）が電源線８に沿って照明器具の内部に浸入する可能性があり、照明器具内の充電部への浸水を防止する必要がある。そこで、ソケット７および端子台９は、従来構成と同様に挿入孔２４よりも上方に配置を制限して器具本体２に取り付けられる。これに対して、点灯装置１は、器具本体２における挿入孔２４よりも下方に取り付けられており、以下に説明する構成を採用することによって浸水を防止する。
【００２２】
点灯装置１は、図１（ｂ）および図２に示すように、板状のベース１ａと背面開口の箱状のカバー１ｂとの２部材を、カバー１ｂの開口部にベース１ａが位置するように結合して構成される合成樹脂製の外郭体１０により外形が形成される。点灯装置１は器具本体２の取付板２１に対して外郭体１０のベース１ａを対向させて取り付けられるものであって、本実施形態では外郭体１０と取付板２１との対向面間に水が通ることができる隙間Ａを形成する脚部１１ａ、１１ｂがベース１ａに突設された点に特徴がある。脚部１１ａ、１１ｂは、図示例では、ベース１ａに沿った面内での断面形状を円形状とする円筒状であって、ベース１ａの上部と下部とに夫々２個ずつ左右に並設され、突出方向の寸法がすべて等しく形成される。したがって、点灯装置１を器具本体２に取り付けるときに脚部１１の先端面が取付板２１に当接し、脚部１１ａ、１１ｂは点灯装置１と器具本体２との対向面間に隙間Ａを形成する形で取付板２１上に点灯装置１を支持する。
【００２３】
また、点灯装置１には、ランプ６と電源と人感センサや照度センサのような外部回路（図示せず）とに夫々接続可能な端子１２ａ〜１２ｄと、センサ動作を含む動作の設定が可能な操作部１３とが設けられる。なお、ランプ６および電源には端子台９を介して接続される。端子１２ａ〜１２ｄは外郭体１０の前面側であって上部の各脚部１１ａに夫々対応する部位に設けられ、操作部１３は外郭体１０の前面側であって下部の各脚部１１ｂに夫々対応する部位間に並設される。ここに、上部の各脚部１１ａは、端子１２ａ〜１２ｄの接続時に作用する力、特に端子１２ａの接続時に施工面に近付く向きに作用する力に耐え得る強度を実現するように比較的大きな径に形成される。一方、操作部１３は外郭体１０の前面に沿う面内で回転操作されるものであって、操作部１３を操作する際に脚部１１ａ、１１ｂに作用する力は端子１２ａ〜１２ｄの接続時に作用する力より小さいので、下部の各脚部１１ｂは上部の各脚部１１ａよりも径を小さくすることが可能である。そこで、脚部１１ａ、１１ｂを形成する材料の無駄を低減するために、下部の各脚部１１ｂは上部の各脚部１１ａより小さい径に形成される。
【００２４】
ところで、上述したように脚部１１ａ、１１ｂを設けることによって、図１に示すように、点灯装置１が取付板２１における挿入孔２４よりも下方に取り付けられたときにも、挿入孔２４から取付板２１に沿って下方に移動する水滴は隙間Ａを通って下方に通過するので、点灯装置１への浸水を防止できる。また、水滴が取付板２１から脚部１１ａ、１１ｂに沿って外郭体１０における取付板２１との対向面に移動する可能性があるが、外郭体１０における取付板２１との対向面には継目がないので、水滴の点灯装置１内への浸入は防止できる。さらに、挿入孔２４の下方に外郭体１０の左右中央部が位置するように点灯装置１を配置すれば、脚部１１ａ、１１ｂも含め点灯装置１に水が掛かり難くなる。
【００２５】
また、本実施形態では、脚部１１ａ、１１ｂは外郭体１０の取付板２１との対向面において中央部を囲む４箇所に夫々設けられるから、取付板２１上に点灯装置１を一方に傾くことなく安定して支持することができる。さらに、各脚部１１ａ、１１ｂのベース１ａに沿った断面形状は、水が取付板２１上を通る向き（図３にＷで示す）に対して水勾配が付与された形状が望ましく、図３（ａ）に示すような円形状に限らず、図３（ｂ）に示すように、水が取付板２１上を通る向きに対して凸となるく字状に形成することも考えられる。このように、水が取付板２１上を通る向きに対して水勾配が付与された形状を脚部１１ａ、１１ｂに採用することによって、水の通り道に脚部１１ａ、１１ｂを配置した場合に、脚部１１ａ、１１ｂ上に水が残ることを防止できる。さらに、図３（ａ）に示すように円形状の断面形状の脚部１１ａ、１１ｂでは、点灯装置１の背面に沿った面内でのすべての向きに対して水勾配が付与されることとなるので、図３（ｂ）に示すく字状の断面形状の脚部１１ａ、１１ｂに比べて取付板２１に対する点灯装置１の取付方向に関する自由度を高くできる。
【００２６】
結果的に、上述した脚部１１ａ、１１ｂを設けた点灯装置１は、器具本体２への配置を従来構成のように挿入孔２４の上方に限定されることがなく、従来構成に比べて器具本体２への配置に関する自由度が高い。
【００２７】
なお、照明器具は内部に水が浸入した場合に下方に排水するために、下端部に水抜きを設けておくのが望ましい。また、図示した点灯装置１は、前面の略中央部にリモコン受信部１４が設けられており、リモコン（図示せず）による操作も可能である。上述した実施形態では脚部１１ａ、１１ｂは４個設けられていたが、脚部の個数を限定する趣旨ではない。
【図面の簡単な説明】
【００２８】
【図１】本発明の実施形態を示し、（ａ）は点灯装置を取り付けた器具本体の正面図、（ｂ）は点灯装置を取り付けた器具本体の断面図である。
【図２】同上の点灯装置を示す正面図である。
【図３】同上に用いる脚部の断面形状が異なる例を示し、（ａ）は断面形状が円形状の脚部を示す断面図、（ｂ）は断面形状がく字状の脚部を示す断面図である。
【図４】従来例を示す分解斜視図である。
【符号の説明】
【００２９】
１  点灯装置
１０  外郭体
１１ａ、１１ｂ  脚部
１２ａ〜１２ｄ  端子
１３  操作部
２  器具本体
２１  取付板
２４  挿入孔
３  グローブ
６  ランプ
８  電源線
Ａ  隙間
【図１】
2005050665.tif 000003
【図２】
2005050665.tif 000004
【図３】
2005050665.tif 000005
【図４】
2005050665.tif 000006